(57)【要約】【課題】スペースの有効活用及びコストダウンを図ることが可能なレンズ鏡筒を提供する。【解決手段】レンズ鏡筒２は、レンズ５２，８２の光軸Ｌが通過する開口８１を有する第１の保持枠８０と、光軸Ｌ方向に沿うとともに、第１の保持枠８０に対して相対的に移動可能な第２の保持枠５０と、第１の保持枠８０と第２の保持枠５０との少なくとも一方に設けられているとともに、第１及び第２の保持枠８０，５０との間に配置された筒体６２と、筒体６２に設けられ、第１及び第２の保持枠８０，５２の相対的な位置を検出するための検出手段６３と、を備えている。【選択図】図１
2009042701.tif 000002
【特許請求の範囲】
【請求項１】
レンズを有するレンズ鏡筒において、
前記レンズの光軸が通過する開口を有する第１の保持枠と、
前記レンズの光軸方向に沿うとともに、前記第１の保持枠に対して相対的に移動可能な第２の保持枠と、
前記第１の保持枠と前記第２の保持枠との少なくとも一方に設けられているとともに、前記第１の保持枠と前記第２の保持枠との間に配置された筒体と、
前記筒体に設けられ、前記第１の保持枠と前記第２の保持枠との相対的な位置を検出するための検出手段と、を備えたことを特徴とするレンズ鏡筒。
【請求項２】
請求項１に記載のレンズ鏡筒であって、
前記筒体は、前記光軸の方向に沿って配置されているとともに、前記第１の保持枠と前記第２の保持枠との間を遮光する遮光部材であることを特徴とするレンズ鏡筒。
【請求項３】
請求項１又は２に記載のレンズ鏡筒であって、
前記検出手段は、前記筒体の移動を検出するためのエンコーダパターンを含むことを特徴とするレンズ鏡筒。
【請求項４】
請求項３に記載のレンズ鏡筒であって、
前記光軸周りに回転操作可能に設けられているとともに、該回転操作によって前記第１の保持枠と前記第２の保持枠との相対的な位置を変更する操作環を備え、
前記検出手段は、前記操作環の回転を検出することを特徴とするレンズ鏡筒。
【請求項５】
請求項１〜４のいずれか一項に記載のレンズ鏡筒であって、
前記筒体は、前記第１の保持枠と前記第２の保持枠との相対的な位置の全てにおいて前記第１の保持枠と前記第２の保持枠との間隔を覆うことを特徴とするレンズ鏡筒。
【請求項６】
請求項２に記載のレンズ鏡筒であって、
前記第１の保持枠又は前記第２の保持枠の少なくとも一方は、前記レンズの光軸方向に沿った貫通孔を備え、
前記遮光部材は、前記貫通孔を介して前記第１の保持枠と前記第２の保持枠との間に侵入する光を遮光することを特徴とするレンズ鏡筒。
【発明の詳細な説明】
【技術分野】
【０００１】
本発明は、一眼レフカメラやビデオカメラ等に用いられるレンズ鏡筒に関する。
【背景技術】
【０００２】
レンズ群の相対距離が変化するレンズ鏡筒として、光の侵入を防止するためにレンズ鏡筒内に蛇腹等を設けたものが従来から知られている（例えば特許文献１参照）。
【特許文献１】特開２０００−３４７０８５号公報
【発明の開示】
【発明が解決しようとする課題】
【０００３】
上記構造のレンズ鏡筒では、遮光専用の部材を配置するための余分なスペースを必要とし、またコストアップの一因ともなっていた。本発明が解決しようとする課題は、スペースの有効活用及びコストダウンを図ることが可能なレンズ鏡筒を提供することである。
【課題を解決するための手段】
【０００４】
請求項１の発明は、レンズ（５２，８２）を有するレンズ鏡筒において、前記レンズの光軸（Ｌ）が通過する開口（８１）を有する第１の保持枠（８０）と、前記レンズの光軸方向に沿うとともに、前記第１の保持枠に対して相対的に移動可能な第２の保持枠（５０）と、前記第１の保持枠と前記第２の保持枠との少なくとも一方に設けられているとともに、前記第１の保持枠と前記第２の保持枠との間に配置された筒体（６２）と、前記筒体に設けられ、前記第１の保持枠と前記第２の保持枠との相対的な位置を検出するための検出手段（６３）と、を備えたことを特徴とするレンズ鏡筒である。
【０００５】
請求項２の発明は、請求項１に記載のレンズ鏡筒であって、前記筒体は、前記光軸の方向に沿って配置されているとともに、前記第１の保持枠と前記第２の保持枠との間を遮光する遮光部材（６２）であることを特徴とするレンズ鏡筒である。
【０００６】
請求項３の発明は、請求項１又は２に記載のレンズ鏡筒であって、前記検出手段は、前記筒体の移動を検出するためのエンコーダパターン（６３）を含むことを特徴とするレンズ鏡筒である。
【０００７】
請求項４の発明は、請求項３に記載のレンズ鏡筒であって、前記光軸周りに回転操作可能に設けられているとともに、該回転操作によって前記第１の保持枠と前記第２の保持枠との相対的な位置を変更する操作環（１０）を備え、前記検出手段は、前記操作環の回転を検出することを特徴とするレンズ鏡筒である。
【０００８】
請求項５の発明は、請求項１〜４のいずれか一項に記載のレンズ鏡筒であって、前記筒体は、前記第１の保持枠と前記第２の保持枠との相対的な位置の全てにおいて前記第１の保持枠と前記第２の保持枠との間隔を覆うことを特徴とするレンズ鏡筒である。
【０００９】
請求項６の発明は、請求項２に記載のレンズ鏡筒であって、前記第１の保持枠又は前記第２の保持枠の少なくとも一方は、前記レンズの光軸方向に沿った貫通孔（８４）を備え、前記遮光部材は、前記貫通孔を介して前記第１の保持枠と前記第２の保持枠との間に侵入する光を遮光することを特徴とするレンズ鏡筒である。
【発明の効果】
【００１０】
本発明では、第１の保持枠と第２の保持枠との間に配置された筒体に検出手段が設けられているので、レンズ鏡筒内のスペースを有効活用すると共に、レンズ鏡筒のコストダウンを図ることができる。
【発明を実施するための最良の形態】
【００１１】
以下、本発明の実施形態を図面に基づいて説明する。
【００１２】
図１は本発明の実施形態に係るレンズ鏡筒を示す断面図、図２は本発明の実施形態におけるレンズ鏡筒の遮光筒を示す斜視図、図３は本発明の実施形態におけるレンズ鏡筒のエンコーダを示す斜視図である。なお、図１において中心線より上側半分は無限位置のレンズ鏡筒の状態を示しており、同図において中心線より下側半分は至近位置のレンズ鏡筒の状態を示している。
【００１３】
本実施形態におけるレンズ鏡筒２は、特に図示しないＣＣＤセンサ等の撮像素子を備えた一眼レフデジタルカメラのカメラボディ１に取り付け可能な交換レンズである。このレンズ鏡筒２は、図１に示すように、操作環１０、固定筒２０、回転直進環３０、直進環４０、レンズ保持枠５０，８０及びレンズ群５２，８２から構成されている。
【００１４】
操作環１０は、第１及び第２のレンズ群８２，５２の光軸Ｌ周りに回転操作可能に固定筒２０に設けられている。撮影者は、この操作環１０を回転操作することで、第１のレンズ群８２及び第２のレンズ群５２のフォーカシングを行うようになっている。この操作環１０の内周面には、光軸Ｌに実質的に平行な直進溝１１が形成されている。この直進溝１１には、回転直進環３０に設けられたピン（カムフォロア）３２が摺動可能に挿入されている。
【００１５】
固定筒２０は、操作環１０を回転可能に保持していると共に、カメラボディ１側の端部にマウント２３を有している。マウント２３には接点２４が設けられている。この接点２４がカメラボディ１側の接点と電気的に接続されることで、例えば、カメラボディ１内に設けられたバッテリからレンズ鏡筒２内のモータ６１等に電力が供給されるようになっている。
【００１６】
固定筒２０には、回転直進環３０に設けられたピン３２が摺動可能に挿入されているリード（直線状のカム）２１が形成されている。また、この固定筒２０の内周面には、光軸Ｌに実質的に平行な直進溝２２が形成されている。この直進溝２２には、直進環４０に設けられたピン４２が摺動可能に挿入されている。
【００１７】
固定筒２０の内周側に直進環４０が設けられており、この直進環４０は回転直進環３０を光軸Ｌ周りに回転可能に保持している。回転直進環３０にはピン３２が設けられている。このピン３２は、操作環１０の直進溝１１及び固定筒２０のリード２１にそれぞれ摺動可能に挿入されており、操作環１０が固定筒２０に対して光軸Ｌ周りに相対的に回転すると、ピン３２が直進溝１１及びリード２１を摺動して、回転直進環３０が回転しながら固定筒２０に対して相対的に前進するようになっている。
【００１８】
これに対し、直進環４０にはピン４２が設けられている。このピン４２は固定筒２０の直進溝２２に摺動可能に挿入されており、操作環１０及び回転直進環３０の回転に伴って直進環４０が回転しないようになっている。一方、直進環４０は回転直進環３０と共に光軸Ｌ方向に沿って移動可能となっているため、操作環１０の回転により回転直進環３０が回転直進動作すると、これに伴って直進環４０も固定筒２０に対して相対的に前進するようになっている。
【００１９】
回転直進環３０の内周面にはリード３１が形成されており、直進環４０には光軸Ｌに実質的に平行な直進溝４１が形成されている。これらリード３１及び直進溝４１には、第２のレンズ支持枠５０に設けられたピン５４が摺動可能に挿入されている。また、直進環４０には、ブラシ取付環７０に設けられたピン７３が摺動可能に挿入されているリード（不図示）が形成されている。
【００２０】
直進環４０の内周側に第２のレンズ保持枠５０が設けられている。この第２のレンズ保持枠５０は、３枚のレンズから構成される第２のレンズ群５２を、その中央に形成された開口５１に保持している。この第２のレンズ保持枠５０にはピン５４が設けられている。このピン５４は、回転直進環３０のリード３１と直進環４０の直進溝４１に摺動可能に挿入されており、直進環４０に対する回転直進環３０の相対的な回転動作に伴って、第２のレンズ保持枠５０が直進環４０に対して相対的に前進するようになっている。また、この第２のレンズ保持枠５０には、ブラシ取付環７０に設けられたピン７３が挿入されている周逃げ溝（不図示）と、第１のレンズ保持枠８０に設けられたピン８３が摺動可能に挿入されている直進溝５３と、が形成されている。
【００２１】
さらに、この第２のレンズ保持枠５０には電磁絞りユニット部材６０が設けられている。この電磁絞りユニット部材６０には、絞り羽根に所定の動作をさせるためのカムが形成されている。なお、この絞り羽根は、モータ６１により駆動することで第１のレンズ群８２と第２のレンズ群５２との間で絞りを調整するようになっている。
【００２２】
本実施形態では、図２に示すように、光軸Ｌに沿って被写体側に突出するように筒状の遮光筒６２が、電磁絞りユニット部材６０に設けられており、この遮光筒６２は第１のレンズ保持枠８０と第２のレンズ保持枠５０との間に配置されている。この遮光筒６２は、例えば合成樹脂材料等から構成されており、電磁絞りユニット部材６０と一体成形されている。また、この遮光筒６２は、例えば黒色などの遮光性に優れた色を有している。この遮光筒６２は、図１に示すように、第１のレンズ保持枠８０の外周近傍に設けられており、固定筒２０、回転直進環３０、直進環４０、第２のレンズ保持枠５０、ブラシ取付環７０及び第１のレンズ保持枠８０の隙間から侵入する光を一括して効率的に遮断することが可能となっている。
【００２３】
図１の上側半分に示すように、レンズ鏡筒２が無限位置の状態において、遮光筒６２の被写体側の端部が、第１のレンズ保持枠８０のカメラボディ１側の端部よりも被写体側に位置しており、第１のレンズ保持枠８０に干渉しない範囲で遮光筒６２が光軸Ｌ方向に最大限伸びている。一方、図１の下側半分に示すように、レンズ鏡筒２が至近位置の状態においても、遮光筒６２の被写体側の端部が、第１のレンズ保持枠８０のカメラボディ１側の端部よりも被写体側に位置しており、遮光筒６２と第１のレンズ保持枠８０を光軸Ｌに実質的に平行な平面に投影した場合に、遮光筒６２と第１のレンズ保持枠８０とが重なっている。このように、本実施形態では、遮光筒６２が第１のレンズ保持枠８０と第２のレンズ保持枠５０との相対的な位置の全てにおいて第１保持枠８０と第２の保持枠８０との間隔を覆うようになっている。
【００２４】
図２に示すように、遮光筒６２の外周面には、エンコーダ用のＦＰＣ（Flexible Printed Circuits：フレキシブル基板）６３が周方向に沿って貼り付けられている。このＦＰＣ６３は、ブラシ取付環７０に設けられたブラシ７１とともに、操作環１０の回転を検出するエンコーダを構成している。このエンコーダにより、第２のレンズ保持枠５０の位置が把握されるとともに、第２のレンズ保持枠５０に対する第１のレンズ保持枠８０の相対位置が把握される。
【００２５】
また、第２のレンズ保持枠５０は、図１に示すように、その内周にブラシ取付環７０を光軸Ｌ周りに回転可能に保持している。ブラシ取付環７０にはピン７３が設けられている。このピン７３は、直進環４０のリードと第２のレンズ保持枠５０の周逃げ溝（何れも不図示）に挿入されている。このブラシ取付環７０は、第２のレンズ保持枠５０と共に直進環４０に対して相対的に直進動作するとともに、この相対的な直進動作に伴ってピン７３により第２のレンズ保持枠５０に対して相対的に回転するようになっている。また、このブラシ取付環７０には、第１のレンズ保持枠８０に設けられたピン８３が摺動可能に挿入されているリード７２が形成されている。
【００２６】
さらに、ブラシ取付環７０には、図３に示すように、遮光筒６２に設けられたＦＰＣ６３に対向するように、エンコーダ用のブラシ７１が設けられている。ＦＰＣ６３上には回路導体が所定のパターンで部分的に露出しており、この露出した部分にブラシ７１が接触して当該回路導体同士が導通することで、第２のレンズ保持枠５０に対するブラシ取付環７０の回転（すなわち操作環１０の回転）を検出するようになっている。
【００２７】
ブラシ取付環７０の内周側に第１のレンズ保持枠８０が設けられている。第１のレンズ保持枠８０は、３枚のレンズから構成される第１のレンズ群８２を、その中央に形成された開口８１に保持している。この第１のレンズ保持枠８０にはピン８３が設けられている。このピン８３は、第２のレンズ保持枠５０の直進溝５３とブラシ取付環７０のリード７２に摺動可能に挿入されており、第２のレンズ保持枠５０に対するブラシ取付環７０の相対的な回転動作に伴って、第１のレンズ保持枠８０が第２のレンズ保持枠５０及びブラシ取付環７０に対して相対的に前進するようになっている。
【００２８】
また、この第１のレンズ保持枠８０には、図１に示すように、光軸Ｌに沿って貫通した給排気孔８４が設けられている。図１に示すようにレンズ鏡筒２が無限位置と至近位置との間で変化した際に、第１のレンズ群１２と第２のレンズ群２２との間に介在している空気を、この給排気孔１４を介して外部に給排気することで、レンズ鏡筒２のスムーズな操作が可能となっている。なお、特に図示しないが、第１のレンズ保持枠８０には複数の給排気孔８４が形成されており、当該複数の給排気孔８４は、第１のレンズ保持枠８１において周方向に沿って実質的に等間隔に配置されている。
【００２９】
以上のような構成のレンズ鏡筒２では、撮影者が操作環１０を回転操作すると、回転直進環３０及び直進環４０を介して、第２のレンズ保持枠５０が前進し、さらに第２のレンズ保持枠５０及びブラシ取付環７０を介して第１のレンズ保持枠８０が前進する。一方、撮影者が操作環１０を逆方向に回転操作すると、回転直進環３０及び直進環４０を介して、第２のレンズ保持枠８０が後退し、さらに第２のレンズ保持枠５０及びブラシ取付環７０を介して第１のレンズ保持枠８０が後退する。このような動作により、第１のレンズ群８２及び第２のレンズ群５２のフォーカシングが行われる。
【００３０】
本実施形態では、第１のレンズ保持枠８０と第２のレンズ保持枠５０との間に遮光筒６２が位置しているので、各構成部材２０〜８０の隙間や給排気孔８４を介してレンズ鏡筒２内に侵入した光がレンズ群５２，８２の間に届く前にこの遮光筒６により遮断することができる。
【００３１】
また、本実施形態では、遮光筒６２を、エンコーダ用のＦＰＣ６３を保持する部材としても利用（兼用）しており、遮光専用の部材が不要となっているので、レンズ鏡筒２内のスペースを有効活用すると共に、レンズ鏡筒２のコストダウンを図ることができる。
【００３２】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００３３】
例えば、上述の実施形態では、給排気孔８４を第１のレンズ保持枠８０に設けたが、特にこれに限定されず、給排気孔８４を第２のレンズ保持枠５０に設けてもよい。
【００３４】
また、上述の実施形態では、エンコーダ用のＦＰＣ６３が貼り付けられた遮光筒６２を第２のレンズ保持枠５０に設けたが、特にこれに限定されず、遮光筒６２を第１のレンズ保持枠８０に設けてもよい。
【００３５】
また、上述の実施形態では、第１及び第２のレンズ保持枠８０，５０の両方を光軸Ｌに沿って移動可能としたが、特にこれに限定されず、第１又は第２のレンズ保持枠８０，５０の一方を固定筒２０に固定してもよい。
【００３６】
また、上述の実施形態では、フォーカシングのためのエンコーダを構成するＦＰＣ６３を遮光筒６２に貼り付けたが、特にこれに限定されず、例えば、ズーミングのためのエンコーダを構成するＦＰＣを遮光筒６２に貼り付けてもよい。
【００３７】
さらに、上述の実施形態では、一眼レフデジタルカメラの交換レンズに本発明を適用した例について説明したが、本発明においては特にこれに限定されず、コンパクトカメラやビデオカメラ、銀塩フィルムを用いた一眼レフカメラその他の光学機器のレンズ鏡筒に本発明を適用してもよい。
【図面の簡単な説明】
【００３８】
【図１】図１は、本発明の実施形態におけるレンズ鏡筒を示す断面図である。
【図２】図２は、本発明の実施形態におけるレンズ鏡筒の遮光筒を示す斜視図である。
【図３】図３は、本発明の実施形態におけるレンズ鏡筒のエンコーダを示す斜視図である。
【符号の説明】
【００３９】
１…カメラボディ
２…レンズ鏡筒
１０…操作環
２０…固定筒
３０…回転直進環
４０…直進環
５０…第２のレンズ保持枠
５２…第２のレンズ群
６０…電磁絞りユニット
６２…遮光筒
６３…エンコーダ用のＦＰＣ
７０…ブラシ取付環
７１…エンコーダ用のブラシ
８０…第１のレンズ保持枠
８２…第１のレンズ群
８４…給排気孔
Ｌ…光軸
【図１】
2009042701.tif 000003
【図２】
2009042701.tif 000004
【図３】
2009042701.tif 000005